【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
薬液が種類別に収容される複数の薬瓶が配置される薬液供給部と、
患者用容器をサイズ別に整列して配置可能な容器供給部と、
前記薬液供給部の薬瓶から薬液を吸引して、前記容器供給部の患者用容器に分注するノズルを有する分注部と、を備え、
前記容器供給部は、
同一サイズの患者用容器を整列させた状態で保持する複数のガイド部材と、
前記ロッドによってガイド部材から押し出された患者用容器を分注位置に位置きめする位置決め部材と、
を備え、
前記薬液供給部は、各薬瓶の上方開口部を開閉する閉鎖板を備え、
前記分注部は、前記ノズルが薬瓶に至る前に閉鎖板を開放可能なロッドを備えたことを特徴とする分注装置。
【請求項２】
前記薬液供給部は、前記薬瓶を鉛直方向に対して傾斜させて支持することにより、薬瓶の上方開口部から侵入させたノズルが、薬瓶の底部の最も低い位置近傍に配置可能としたことを特徴とする請求項１に記載の分注装置。
【請求項３】
前記薬液供給部は、前記薬瓶を傾斜させて支持した状態に位置決めするための付勢手段を備えたことを特徴とする請求項２に記載の分注装置。
【請求項４】
薬液が種類別に収容される複数の薬瓶が配置される薬液供給部と、
患者用容器をサイズ別に整列して配置可能な容器供給部と、
前記薬液供給部の薬瓶から薬液を吸引して、前記容器供給部の患者用容器に分注するノズルを有する分注部と、を備え、
前記容器供給部は、
同一サイズの患者用容器を整列させた状態で保持する複数のガイド部材と、
前記ロッドによってガイド部材から押し出された患者用容器を分注位置に位置きめする位置決め部材と、
を備え、
前記薬液供給部は、各薬瓶の上方開口部を開閉する蓋体を備え、
前記分注部はロッドを備え、
前記薬瓶は、支軸を中心として回動可能な閉鎖板を備え、
前記閉鎖板は、
支軸から一方に延び、薬瓶の上方開口部を閉鎖可能な閉鎖部と、
支軸から他方に延びて前記ロッドにより押圧され、薬瓶の上方開口部を開放するように閉鎖部による閉鎖を解除させ、薬瓶へのノズルの侵入を可能とする押圧受部と、
からなることを特徴とする分注装置。
【請求項５】
薬液が種類別に収容される複数の薬瓶が配置される薬液供給部と、
患者用容器をサイズ別に整列して配置可能な容器供給部と、
前記薬液供給部の薬瓶から薬液を吸引して、前記容器供給部の患者用容器に分注するノズルを有する分注部と、を備え、
前記容器供給部は、
同一サイズの患者用容器を整列させた状態で保持する複数のガイド部材と、
前記ガイド部材から押し出された患者用容器を分注位置に位置きめする位置決め部材と、
を備え、
前記薬瓶は、支軸を中心として回動可能な閉鎖板を備え、
前記分注部はロッドを備え、
前記閉鎖板は、
支軸から一方に延び、薬瓶の上方開口部を閉鎖可能な閉鎖部と、
支軸から他方に延びて前記ロッドにより押圧され、薬瓶の上方開口部を開放するように閉鎖部による閉鎖を解除させ、薬瓶へのノズルの侵入を可能とする押圧受部と、
からなることを特徴とする分注装置。
【請求項６】
前記容器供給部は、分注位置に位置決めされた患者用容器を支持して秤量する秤量部を備え、
前記秤量部は、
前記各ガイド部材の分注位置の下方側を移動可能な基台と、
前記基台上に昇降可能に設けられ、上昇することにより分注位置に位置決めされた患者用容器を支持して秤量する支持台と、
を備えたことを特徴とする請求項１から５のいずれか１項に記載の分注装置。
【請求項７】
サイズの異なる患者用容器別に収容可能な薬液の収容量を記憶する記憶手段と、
処方データから、ある薬液の処方量を抽出し、前記記憶手段に記憶した容量から適切なサイズの患者用容器を選択する容器選択手段と、
をさらに備え、
前記容器選択手段は、前記処方量が、前記記憶手段に記憶した最大サイズの患者用容器の収容量を超える場合、処方量を分割して分割処方量を算出し、算出された分割処方量に基づいて収容可能な適正サイズの患者用容器を選択することを特徴とする請求項１から６のいずれか１項に記載の分注装置。
【請求項８】
患者用容器について、収容量と、１服用を示す目盛り数とを互いに関連付けて記憶する記憶手段と、
処方データから、ある薬液の処方量を抽出し、１服用当たりの容量と、前記記憶手段に記憶した収容量と目盛り数から算出した１目盛り当たりの容量とを比較し、希釈液の混合容量を算出する希釈量算出手段と、
を備えたことを特徴とする請求項１から６に記載の分注装置。
【請求項９】
前記処方データは指定日数を含み、
前記希釈量算出手段は、指定日数分の処方量についてのみ希釈液の混合容量を算出することを特徴とする請求項８に記載の分注装置。
【請求項１０】
前記ノズルが降下することにより侵入可能な上方開口部を有し、洗浄水が供給される洗浄容器を備えた洗浄部を設け、
前記洗浄容器の上方開口部は、開放可能な閉鎖板で閉鎖され、該閉鎖板は、前記ノズルと共に降下するロッドによって押圧され、前記上方開口部を開放する押圧受部を備えたことを特徴とする請求項１から９のいずれか１項に記載の分注装置。
【手続補正２】
【補正対象書類名】明細書
【補正対象項目名】０００６
【補正方法】変更
【補正の内容】
【０００６】
本発明は、前記課題を解決するための手段として、
分注装置を、
薬液が種類別に収容される複数の薬瓶が配置される薬液供給部と、
患者用容器をサイズ別に整列して配置可能な容器供給部と、
前記薬液供給部の薬瓶から薬液を吸引して、前記容器供給部の患者用容器に分注するノズルを有する分注部と、を備え、
前記容器供給部は、
同一サイズの患者用容器を整列させた状態で保持する複数のガイド部材と、
前記ロッドによってガイド部材から押し出された患者用容器を分注位置に位置きめする位置決め部材と、
を備え、
前記薬液供給部は、各薬瓶の上方開口部を開閉する閉鎖板を備え、
前記分注部は、前記ノズルが薬瓶に至る前に閉鎖板を開放可能なロッドを備えた構成としたものである。
【手続補正３】
【補正対象書類名】明細書
【補正対象項目名】０００７
【補正方法】変更
【補正の内容】
【０００７】
この構成により、患者用容器はガイド部材に整列させておくだけでよい。そして、患者用容器を移動させ、位置決め部材によって位置決めすることにより、分注を適切に行うことができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１６
【補正方法】変更
【補正の内容】
【００１６】
また、本発明は、前記課題を解決するための手段として、
分注装置を、
薬液が種類別に収容される複数の薬瓶が配置される薬液供給部と、
患者用容器をサイズ別に整列して配置可能な容器供給部と、
前記薬液供給部の薬瓶から薬液を吸引して、前記容器供給部の患者用容器に分注するノズルを有する分注部と、を備え、
前記容器供給部は、
同一サイズの患者用容器を整列させた状態で保持する複数のガイド部材と、
前記ロッドによってガイド部材から押し出された患者用容器を分注位置に位置きめする位置決め部材と、
を備え、
前記薬液供給部は、各薬瓶の上方開口部を開閉する蓋体を備え、
前記分注部はロッドを備え、
前記薬瓶は、支軸を中心として回動可能な閉鎖板を備え、
前記閉鎖板は、
支軸から一方に延び、薬瓶の上方開口部を閉鎖可能な閉鎖部と、
支軸から他方に延びて前記ロッドにより押圧され、薬瓶の上方開口部を開放するように閉鎖部による閉鎖を解除させ、薬瓶へのノズルの侵入を可能とする押圧受部と、
から構成したものである。
【手続補正９】
【補正対象書類名】明細書
【補正対象項目名】００１７
【補正方法】変更
【補正の内容】
【００１７】
この構成により、患者用容器はガイド部材に整列させておくだけでよい。そして、患者用容器を移動させ、位置決め部材によって位置決めすることにより、分注を適切に行うことができる。また、簡単な構成の蓋体により、薬瓶を閉鎖状態に維持して雑菌や埃、あるいは、昆虫等の侵入、さらには薬液の蒸発を防止することができる。また、蓋体は、薬液を吸引する場合ノズルと共に移動するロッドにより自動的に開放することができる。このため、単に薬瓶を薬液供給部に載置するだけで蓋体の設置と薬瓶の設置とを完了することができる。
【手続補正１０】
【補正対象書類名】明細書
【補正対象項目名】００１８
【補正方法】変更
【補正の内容】
【００１８】
また、本発明は、前記課題を解決するための手段として、
分注装置を、
薬液が種類別に収容される複数の薬瓶が配置される薬液供給部と、
患者用容器をサイズ別に整列して配置可能な容器供給部と、
前記薬液供給部の薬瓶から薬液を吸引して、前記容器供給部の患者用容器に分注するノズルを有する分注部と、を備え、
前記容器供給部は、
同一サイズの患者用容器を整列させた状態で保持する複数のガイド部材と、
前記ガイド部材から押し出された患者用容器を分注位置に位置きめする位置決め部材と、
を備え、
前記薬瓶は、支軸を中心として回動可能な閉鎖板を備え、
前記分注部はロッドを備え、
前記閉鎖板は、
支軸から一方に延び、薬瓶の上方開口部を閉鎖可能な閉鎖部と、
支軸から他方に延びて前記ロッドにより押圧され、薬瓶の上方開口部を開放するように閉鎖部による閉鎖を解除させ、薬瓶へのノズルの侵入を可能とする押圧受部と、
から構成したものである。
【手続補正１１】
【補正対象書類名】明細書
【補正対象項目名】００３０
【補正方法】変更
【補正の内容】
【００３０】
本発明によれば、ガイド部材により患者用容器を整列させておくだけでよいので、準備を簡単かつ迅速に行うことができる。また、患者用容器を移動させ、位置決め部材によって位置決めすることにより、分注を適切に行うことができる。